(57)【要約】      （修正有）【課題】シャフトの先端部に嵌合しているクリップを容易、安全、迅速、正確にシャフトの先端部から取り外したり、取り付けることができるクリップ脱着用治具を提供する。【解決手段】クリップ脱着用治具は、環状先端面を有する中空ロッドからなり、中空ロッドの内径がシャフトの先端部の長径の外径と同径又は大径であり、かつ、中空ロッドの外径がクリップの円形基板の外径と同径又は小径であり、中空ロッドは、径方向の相対向する位置に、略等しい横幅の開口を有する第１切欠き部と第２切欠き部とを備え、第１切欠き部の開口は、中空ロッドの環状先端面に形成される先端開口部と中空ロッドの内部に形成される拡張開口部とからなり、先端開口部はクリップのつめ部の自由端部を収納可能な開口幅を有する。【選択図】図１
0003137136.tif 000002
【実用新案登録請求の範囲】
【請求項１】
回転体を、関連するシャフト上に該シャフトと一体回転可能に保持するため  に、該シャフトの先端部に取り付けられるクリップを脱着するための治具であって、シャフトの先端部とクリップは以下（１）（２）の構造を有するものにおいて、
（１）前記シャフトの先端部は、先端近傍に形成された環状溝からなる首部と、該首部から先端側の頭部とからなり、
該頭部は、前記首部の径と略同寸法の幅の中央部を残して第１の径方向に沿って相対向する外縁部を切除した形状に形成され、残された中央部の先端面には、全幅に亘り、前記シャフトの軸心を通って前記第１の径方向と直交する第２の径方向に直線的に伸延する溝部が設けられており、
（２）前記クリップは、前記シャフトより大径の円形基板と、該円形基板に一端が固定されたつめ部とからなり、
前記円形基板は、中央に、前記シャフトの頭部を挿通可能な、該頭部に対応する形状を有し、長手軸を有する開口を備え、
前記つめ部は、一端が前記円形基板の第１周縁部に固定された屈曲部と、前記円形基板を径方向に横断するように伸延する中間部と、前記第１周縁部の径方向の合対向する位置にある第２周縁部まで伸延する自由端部とを有し、前記中間部が前記円形基板と略平行に、かつ前記中央開口の長手軸に沿って伸延しており、
前記つめ部の前記屈曲部は、前記自由端部に対して前記円形基板から離れる方向へ引張力が加えられたとき、該自由端部と前記中間部とが前記屈曲部を節として前記円形基板から離れる方向へ弾性変形し、前記引張力が解除されたとき、該自由端部と前記中間部とが弾性的に原形復帰するような付勢力を有し、
前記クリップ脱着用治具は、環状先端面を有する中空ロッドからなり、
前記中空ロッドは、該中空ロッドの内径が前記シャフトの先端部の長径の外径と同径又は大径であり、かつ、該中空ロッドの外径が前記クリップの前記円形基板の外径と同径又は小径であり、
前記中空ロッドは、径方向の相対向する位置に、略等しい横幅の開口を有する第１切欠き部と第２切欠き部とを備え、該第１切欠き部の前記開口は、前記中空ロッドの前記環状先端面に形成される先端開口部と前記中空ロッドの内部に形成される拡張開口部とからなり、該先端開口部は前記クリップのつめ部の前記自由端部を収納可能な開口幅を有し、
前記第１切欠き部の前記開口は、該開口の一方の側壁を画成し前記中空ロッドの前記環状先端面に対して垂直な第１壁面と、該開口の他方の側壁を画成し、奥に進むに従い前記先端開口部の前記開口幅を拡張するように前記中空ロッドの前記環状先端面に対して傾斜した第２壁面と、該第２壁面とほぼ直角に交差する第３壁面とを有し、
前記第２切欠き部の前記開口は、該開口の一方の側壁を画成し前記中空ロッドの前記環状先端面に対して垂直な第１壁面と、該開口の他方の側壁を画成し前記中空ロッドの前記環状先端面に対して垂直な第２壁面とを有する、
ことを特徴とするクリップ脱着用治具。
【請求項２】
前記クリップ脱着用治具は、Ｔ形のハンドル部と、前記中空ロッドを該ハンドル部に接続するアダプタとを備えたことを特徴とする請求項１に記載のクリップ脱着用治具。
【考案の詳細な説明】
【技術分野】
【０００１】
本考案は、回転体を、関連するシャフト上に該シャフトと一体回転可能に保持するために、該シャフトの先端部に取り付けられるクリップを脱着するための治具であって、シャフトの先端部とクリップが以下（１）（２）の構造を有するものに使用されるクリップ脱着用治具に関する。
（１）前記シャフトの先端部は、先端近傍に形成された環状溝からなる首部と、該首部から先端側の頭部とからなり、
該頭部は、前記首部の径と略同寸法の幅の中央部を残して第１の径方向に沿って相対向する外縁部を切除した形状に形成され、残された中央部の先端面には、全幅に亘り、前記シャフトの軸心を通って前記第１の径方向と直交する第２の径方向に直線的に伸延する溝部が設けられており、
（２）前記クリップは、前記シャフトより大径の円形基板と、該円形基板に一端が固定されたつめ部とからなり、
前記円形基板は、中央に、前記シャフトの頭部を挿通可能な、該頭部に対応する形状を有し、長手軸を有する開口を備え、
前記つめ部は、一端が前記円形基板の第１周縁部に固定された屈曲部と、前記円形基板を径方向に横断するように伸延する中間部と、前記第１周縁部の径方向の合対向する位置にある第２周縁部まで伸延する自由端部とを有し、前記中間部が前記円形基板と略平行に、かつ前記中央開口の長手軸に沿って伸延しており、
前記つめ部の前記屈曲部は、前記自由端部に対して前記円形基板から離れる方向へ引張力が加えられたとき、該自由端部と前記中間部とが前記屈曲部を節として前記円形基板から離れる方向へ弾性変形し、前記引張力が解除されたとき、該自由端部と前記中間部とが弾性的に原形復帰するような付勢力を有する。
【０００２】
上記構造のクリップ脱着用治具は、例えば、図１１に示すように、回転体として、中央部に挿通孔３０１を有するインペラー３００と、該挿通孔３０１に挿通されるシャフト１００であって、該シャフト１００は、先端部１１０が前記挿通孔３０１から突出し、他端部がモータ軸５００に接続され、前記インペラー３００と係合するものと、該シャフト１００の前記先端部１１０に嵌合する側面略コ字形状のクリップ２００との組合せ部品を有する渦巻きポンプにおいて、クリップ２００を前記先端部１１０から取り外し又は前記先端部１１０に取り付ける治具として利用可能である。
【背景技術】
【０００３】
上記構造の渦巻きポンプは、液状又は粘ちゅう状の食品の生産ラインにおいて、食品の搬送用ポンプとして利用され、モータ軸５００につながるシャフト１００のメカニカルシール部分１５０の点検や、該シール部分１５０にある不図示のＯリングの交換のため、１〜２年に１回の割合で比較的頻繁に分解される。
【０００４】
渦巻きポンプを分解する場合、ポンプケース４００を取り外した後、シャフト１００からインペラー３００を取り外す作業が必要である。シャフト１００とインペラー３００との係止には、シャフト１００の先端部１１０に嵌合しインペラー３００をシャフト１００との係合位置に保持する側面略コ字形状のクリップ２００が使用されることがある。
【０００５】
このクリップ２００のシャフト１００からの取り外し作業は、図１２（１）に示すように、シャフト１００にインペラー３００を係止させるためインペラー３００をシャフト１００との係合位置に保持しているクリップ２００のつめ部２２０を、ドライバーやプライヤーなどを用いて自由端部２２３を手前に引いてシャフト１００の先端部１１０の頭部１３０に形成した溝部１３３から外方向に引き上げ、同時にインペラー３００が回転しないように手で押さえながら、クリップ２００のつめ部２２０とシャフト１００の頭部１３０の溝部１３３が垂直になるように、クリップ２００を９０度回転させ、クリップ２００全体を手前に引いて、シャフト１００から外していた。
【０００６】
一方、取り付け作業は、図１２（２）に示すように、シャフト１００の頭部１３０の溝部１３３を水平にし、つめ部２２０を垂直にしたクリップ２００全体をプライヤーなどを用いてシャフト１００の先端部１１０に押付け、そして、クリップ２００の円形基板２１０を環状溝からなる首部（図６参照）に嵌め込み、同時にインペラー３００が回転しないように手で押さえながら、クリップ２００を９０度回転させ、クリップ２００のつめ部２２０をシャフト１００の頭部１３０の溝部１３３に入れていた。
【０００７】
しかしながら、クリップ２００がシャフト１００の先端部１１０に固く嵌合しているため、上記従来方法によるクリップの取り外し・取り付け作業は、以下のような問題があった。
（１）クリップをプライヤーなどを用いて手だけで回転させるには、大きな労力と熟練したコツを必要とし、また作業時間がかかる。
（２）クリップのつめ部を引き上げているドライバーやプライヤーが作業中に外れて、シャフトやインペラーが損傷される可能性がある。
（３）クリップのつめ部を過度に引き上げてしまい、引き上げられた形状から原形に復帰できなくなる可能性がある。
【考案の開示】
【考案が解決しようとする課題】
【０００８】
そこで、本考案は、シャフトの先端部に固く嵌合している冒頭の構造のクリップを容易、安全、迅速、正確に冒頭の構造のシャフトの先端部から取り外したり、取り付けることができるクリップ脱着用治具を提供することを目的とする。
【課題を解決するための手段】
【０００９】
上記課題を解決するため、請求項１の考案は、前記クリップ脱着用治具は、環状先端面を有する中空ロッドからなり、
前記中空ロッドは、該中空ロッドの内径が前記シャフトの先端部の長径の外径と同径又は大径であり、かつ、該中空ロッドの外径が前記クリップの前記円形基板の外径と同径又は小径であり、
前記中空ロッドは、径方向の相対向する位置に、略等しい横幅の開口を有する第１切欠き部と第２切欠き部とを備え、該第１切欠き部の前記開口は、前記中空ロッドの前記環状先端面に形成される先端開口部と前記中空ロッドの内部に形成される拡張開口部とからなり、該先端開口部は前記クリップのつめ部の前記自由端部を収納可能な開口幅を有し、
前記第１切欠き部の前記開口は、該開口の一方の側壁を画成し前記中空ロッドの前記環状先端面に対して垂直な第１壁面と、該開口の他方の側壁を画成し、奥に進むに従い前記先端開口部の前記開口幅を拡張するように前記中空ロッドの前記環状先端面に対して傾斜した第２壁面と、該第２壁面とほぼ直角に交差する第３壁面とを有し、
前記第２切欠き部の前記開口は、該開口の一方の側壁を画成し前記中空ロッドの前記環状先端面に対して垂直な第１壁面と、該開口の他方の側壁を画成し前記中空ロッドの前記環状先端面に対して垂直な第２壁面とを有する、
ことを特徴とする。
【００１０】
請求項２の考案は、前記クリップ脱着用治具は、Ｔ形のハンドル部と、前記中空ロッドを該ハンドル部に接続するアダプタとを備えたことを特徴とする。
【考案の効果】
【００１１】
本考案によれば、クリップ脱着用治具は、環状先端面を有する中空ロッドからなり、中空ロッドは、中空ロッドの内径がシャフトの先端部の長径の外径と同径又は大径であり、かつ、中空ロッドの外径がクリップの円形基板の外径と同径又は小径であり、中空ロッドは、径方向の相対向する位置に、略等しい横幅の開口を有する第１切欠き部と第２切欠き部とを備え、第１切欠き部の開口は、中空ロッドの環状先端面に形成される先端開口部と中空ロッドの内部に形成される拡張開口部とからなり、先端開口部はクリップのつめ部の自由端部を収納可能な開口幅を有し、第１切欠き部の開口は、開口の一方の側壁を画成し中空ロッドの環状先端面に対して垂直な第１壁面と、開口の他方の側壁を画成し、奥に進むに従い先端開口部の開口幅を拡張するように中空ロッドの環状先端面に対して傾斜した第２壁面と、第２壁面とほぼ直角に交差する第３壁面とを有し、第２切欠き部の開口は、開口の一方の側壁を画成し中空ロッドの環状先端面に対して垂直な第１壁面と、開口の他方の側壁を画成し中空ロッドの環状先端面に対して垂直な第２壁面とを有する。
このため、シャフトからクリップを取り外す場合、クリップのつめ部の自由端部が中空ロッドの第１切欠き部の先端開口部に収納されるように中空ロッドの環状先端面を、クリップの円形基板に心合わせし、そして、シャフトの先端部に被せて押付け、しかる後、クリップのつめ部の自由端部が第１切欠き部の傾斜した第２壁面に接する方向に回すだけで、クリップのつめ部はシャフトの先端部の頭部の溝部から外れる。一方、シャフトにクリップを取け付ける場合、クリップのつめ部の自由端部を中空ロッドの第１切欠き部の先端開口部に収納して保持する中空ロッドの環状先端面をシャフトの先端部に心合わせし、シャフトの先端部に被せて押付け、そして、クリップのつめ部の自由端部が第１切欠き部の垂直な第１壁面に接する方向に回すだけで、クリップのつめ部はシャフトの先端部の頭部の溝部に係合する。
そのため、本考案のクリップ脱着用治具の簡単な使用方法により、従来のプライヤー等を用いて手作業でクリップを脱着していた場合に比べ、容易、安全、迅速、正確に脱着作業を行うことができ、作業能率が改善される。
【００１２】
クリップ脱着用治具は、Ｔ形のハンドル部と、中空ロッドをハンドル部に接続するアダプタとを備えている。このため、Ｔ形のハンドル部を手で握り回転させれば、中空ロッドは容易に回転する。また、径が異なる種々の中空ロッドを共通のハンドル部に接続することができる。そのため、中空ロッドの回転は動力工具を使用せず手動で行うことができ、また、クリップの円形基板やつめ部のサイズに応じて種々のタイプの中空ロッドを簡単に交換することができる。
【考案を実施するための最良の形態】
【００１３】
次に、本考案のクリップ脱着用治具の最良の形態を図面に基づき説明する。図１は、本考案の中空ロッドの一実施形態の正面図、図２はその左側面図、図３はその右側面図、図４は、Ｔ形のハンドル部とアダプタを備えた本考案の中空ロッドの概略全体図を夫々示す。図５は、本考案のクリップ脱着用治具の使用対象であるシャフトの先端部の正面図、図６はその側面図を示す。図７は、本考案のクリップ脱着用治具の使用対象であるクリップの正面図、図８はその側面図を示す。
【００１４】
先ず、本考案のクリップ脱着用治具の使用対象であるシャフトの先端部とクリップとを説明する。
【００１５】
図１１、図１２に示す前記シャフト１００の先端部１１０は、図６に示すように、先端近傍に形成された環状溝からなる首部１２０と、首部１２０から先端側の頭部１３０とからなる。頭部１３０は、図５に示すように、首部１２０の径と略同寸法の幅の中央部１３１を残して第１の径方向Ｘに沿って相対向する不図示の外縁部を切除した形状に形成されている。そして、残された中央部１３１の先端面１３２には、溝部１３３が設けられている。溝部１３３は、中央部１３１の全幅に亘り、シャフト１００の軸心Ｏを通って第１の径方向Ｘと直交する第２の径方向Ｙに直線的に伸延している。
【００１６】
図１２に示す前記シャフト１００の先端部１１０に取り付けられる前記クリップ２００は金属製からなり、図７に示すように、シャフト１００の径より大径の円形基板２１０とつめ部２２０とからなる。円形基板２１０は、中央に、シャフト１００の頭部１３０（図５参照）に対応する形状を有し、長手軸Ｌを有する開口２１１を備えている。シャフト１００の頭部１３０は、この円形基板２１０の開口２１１に挿通可能にされている。
【００１７】
つめ部２２０は、図７に示すように、円形基板２１０の中央開口２１１の長手軸Ｌに沿って径方向に伸延している。つめ部２２０は、図８に示すように、円形基２１０と略平行に伸延している中間部２２１と、一端が円形基板２１０の第１周縁部２１２に固定された屈曲部２２２と、他端が第１周縁部２１２の径方向の合対向する位置にある第２周縁部２１３まで伸延する自由端部２２３とを有す。図示するつめ部２２０は、自由端部２２３が円形基板２１０から離れる方向に傾斜しているが、自由端部２２３が円形基板２１０と水平であってもよい。
【００１８】
つめ部２２０の屈曲部２２２は、自由端部２２３に対して円形基板２１０から離れる方向へ引張力が加えられたとき、自由端部２２３と中間部２２１とが屈曲部２２２を節として円形基板２１０から離れる方向へ弾性変形し、引張力が解除されたとき、自由端部２２３と中間部２２１とが弾性的に原形復帰するような付勢力を有する。
【００１９】
図１に示す中空ロッド１は、径方向の相対向する位置に、略等しい横幅Ｗの開口を有する第１切欠き部２と第２切欠き部３とを備えている。図１に示す中空ロッド１は、中空ロッドの内径が図５、図６に示すシャフト１００の先端部１１０の第１径方向Ｘの長径の外径と略同径であり、中空ロッドの外径が図７に示すクリップ２００の円形基板２１０の外径と比較して小径にされている。
【００２０】
第１切欠き部２の開口は、図２に示すように、中空ロッド１の環状先端面１１に形成される先端開口部２０と中空ロッド１の内部１２に形成される拡張開口部２０’とからなる。先端開口部２０はクリップ２００のつめ部２２０の自由端部２２３を収納可能な開口幅Ｗ１を有する。また、第１切欠き部２の開口は、開口の一方の側壁を画成する第１壁面２１と、開口の他方の側壁を画成する第２壁面２２と、第３壁面２３とを有する。第１壁面２１は中空ロッド１の環状先端面１１に対して垂直であり、第２壁面２２は、環状先端面１１から内部１２の奥に進むに従い開口幅Ｗ１を徐々に拡張してさらに開口幅Ｗ２が増加するように中空ロッド１の環状先端面１１に対して傾斜している。第３壁面２３は、第２壁面２２とほぼ直角に交差している。
【００２１】
第２切欠き部３の開口は、図３に示すように、開口の一方の側壁を画成する第１壁面３１と、開口の他方の側壁を画成する第２壁面３２とが、共に中空ロッド１の環状先端面１１に対して垂直である。第２切欠き部３の第１壁面３１と第２壁面３２とにより環状先端面１１に形成される先端開口部３０の開口幅Ｗは、第１切欠き部２の環状先端面１１に形成される先端開口部２０の開口幅Ｗ１と第２壁面２２により拡張された拡張開口部２０’の開口幅Ｗ２との総和Ｗにほぼ等しくされている。
【００２２】
第１切欠き部２の第１壁面２１と第２切欠き部３の第１壁面３１、第１切欠き部２の第３壁面２３と第２切欠き部３の第２壁面３２は、それぞれ中空ロッド１の環状先端面１１の中心Ｏ’を通る直線上にある。
【００２３】
なお、中空ロッド１の径は、図１に示す径に限定されるものではなく、使用対象であるクリップ２００の円形基板２１０の径に応じて変えることができる。また、第１切欠き部２の先端開口部２０は、図１、図２に示す開口幅Ｗ１に限定されるものではなく、使用対象であるクリップ２００のつめ部２２０の自由端部２２３の横幅に応じて変えることができる。
【００２４】
中空ロッド１は、図４に示すように、アダプタ５を介してＴ形のハンドル部６に取り付けられている。
【００２５】
次に、本考案のクリップ脱着用治具の使用方法を、図９に示すクリップの取り外し工程と、図１０に示すクリップの取り付け工程とを、各ステップａ）〜ｃ）に基づき説明する。
【００２６】
図９において、図９（１）は、クリップ２００のつめ部２２０の自由端部２２３の本考案の第１切欠き部２内における動きを示し、図９（２）は、クリップ２００のつめ部２２０の屈曲部２２２の本考案の第２切欠き部３内における動きを示す。
【００２７】
図９ａ）に示す取り外し工程では、図９（１）ａ）に示すように、クリップ２００のつめ部２２０の自由端部２２３と第１切欠き部２の先端開口部２０（図１、図２参照）の傾斜する第２壁面２２側とを合わせる。このとき、クリップ２００のつめ部２２０の屈曲部２２２は、図９（２）ａ）に示すように、第２切欠き部３の先端開口部３０（図３参照）の中央部に位置する。
【００２８】
図９ｂ）に示す取り外し工程では、図９（１）ｂ）に示すように、本考案のクリップ脱着用治具を右方向に回すと、クリップ２００のつめ部２２０の自由端部２２３は、第２壁面２２の傾斜面上を移動して上昇し始める。これにより、クリップ２００のつめ部２２０の自由端部２２３と中間部２２１とが序々に持ち上げられる（図７、図８参照）。このとき、クリップ２００のつめ部２２０の屈曲部２２２は、図９（２）ｂ）に示すように、第２切欠き部３の先端開口部３０（図３参照）の第２壁面３２に接する。
【００２９】
図９ｃ）に示す取り外し工程では、図９（１）ｃ）に示すように、本考案のクリップ着脱用治具をさらに右方向に回すと、クリップ２００のつめ部２２０の自由端部２２３は、第２壁面２２の傾斜面上を頂上まで移動して上昇する。これにより、クリップ２００のつめ部２２０の中間部２２１がシャフト１００の先端部１１０の頭部１３０の溝部１３３から外れる。このとき、クリップ２００のつめ部２２０の屈曲部２２２は、図９（２）ｃ）に示すように、第２切欠き部３の先端開口部３０（図３参照）の第２壁面３２に接する。
【００３０】
図１０において、図１０（１）は、クリップ２００のつめ部２２０の自由端部２２３の本考案の第１切欠き部２内における動きを示し、図１０（２）は、クリップ２００のつめ部２２０の屈曲部２２２の本考案の第２切欠き部３内における動きを示す。
【００３１】
図１０ａ）に示す取り付け工程では、図１０（１）ａ）に示すように、クリップ２００のつめ部２２０の自由端部２２３と第１切欠き部２の先端開口部２０（図１、図２参照）の垂直な第１壁面２１側とを合わせる。このとき、クリップ２００のつめ部２２０の屈曲部２２２は、図１０（２）ａ）に示すように、第２切欠き部３の先端開口部３０（図３参照）の中央部に位置する。
【００３２】
図１０ｂ）に示す取り付け工程では、図１０（１）ｂ）に示すように、本考案のクリップ脱着用治具をシャフトの先端部に押付けながら、左方向に回すと、クリップ２００のつめ部２２０の自由端部２２３は、第１壁面２１の垂直面上に沿って中程まで上昇する。これにより、クリップ２００のつめ部２２０の自由端部２２３と中間部２２１とが若干持ち上げられる（図７、図８参照）。このとき、クリップ２００のつめ部２２０の屈曲部２２２は、図１０（２）ｂ）に示すように、第２切欠き部３の先端開口部３０（図３参照）の第１壁面３１に接する。
【００３３】
図１０ｃ）に示す取り付け工程では、図１０（１）ｃ）に示すように、本考案のクリップ脱着用治具を押付けてさらに左方向に回すと、クリップ２００のつめ部２２０の自由端部２２３は第１壁面２１の垂直面上を下降し、中間部２２１はシャフト１００の先端部１１０の頭部１３０の溝部１３３に入り、溝部１３３と係合する。このとき、クリップ２００のつめ部２２０の屈曲部２２２は、図１０（２）ｃ）に示すように、第２切欠き部３の先端開口部３０（図３参照）の第１壁面３１に接する。
【図面の簡単な説明】
【００３４】
【図１】本考案のクリップ脱着用治具の一実施形態を示す正面図。
【図２】図１の一実施形態の左側面図。
【図３】図１の一実施形態の右側面図。
【図４】本考案のクリップ脱着用治具の一実施形態の応用例を示す正面図。
【図５】本考案のクリップ脱着用治具の使用対象であるシャフトの先端部の正面図。
【図６】図５の側面図。
【図７】本考案のクリップ脱着用治具の使用対象であるクリップの正面図。
【図８】図７の側面図。
【図９】ａ）〜ｃ）は本考案のクリップ脱着用治具を使用したクリップの取り外し工程の各ステップを示す図。
【図１０】ａ）〜ｃ）は本考案のクリップ脱着用治具を使用したクリップの取り付け工程の各ステップを示す図。
【図１１】渦巻きポンプの概略図。
【図１２】（１）は従来のクリップ取り外し作業を示す図。（２）は従来のクリップ取り付け作業を示す図。
【符号の説明】
【００３５】
１      …中空ロッド
１１    …１の環状先端面
１２    …１の内部
２      …第１切欠き部
２０    …２の先端開口部
２０’  …２の拡張開口部
２１    …２の第１壁面
２２    …２の第２壁面
２３    …２の第３壁面
３      …第２切欠き部
３０    …３の先端開口部
３１    …３の第１壁面
３２    …３の第２壁面
５      …アダプタ
６      …ハンドル部
２００  …クリップ
２１０  …２００の円形基板
２２０  …２００のつめ部
２２１  …２２０の中間部
２２２  …２２０の屈曲部
２２３  …２２０の自由端部
【図１】
0003137136.tif 000003
【図２】
0003137136.tif 000004
【図３】
0003137136.tif 000005
【図４】
0003137136.tif 000006
【図５】
0003137136.tif 000007
【図６】
0003137136.tif 000008
【図７】
0003137136.tif 000009
【図８】
0003137136.tif 000010
【図９】
0003137136.tif 000011
【図１０】
0003137136.tif 000012
【図１１】
0003137136.tif 000013
【図１２】
0003137136.tif 000014